(57)【要約】【課題】ロール紙輪転印刷機において、タブロイド判印刷物を製造する際に、当該タブロイド判印刷物の本としての構造を維持したままで製造する方法を実現する。【解決手段】印刷装置（２）を有してなる、少なくとも一つのウェブ（１０）に印刷を行うためのロール紙輪転印刷機であって、前記印刷装置の版胴（３）には、ブランケット判紙面（４）を縦長に設けることができる。タブロイド判印刷物の製造を、これらの印刷物の、本としての構造を保持しながら行うことを可能にするために、前記版胴に、周方向と、長手方向とにおいて、それぞれ、複数のタブロイド判紙面（１９）を縦長に設けることができるようにする。【選択図】図１
2007296850.tif 000002
【特許請求の範囲】
【請求項１】
少なくとも一つのウェブ（１０）に印刷を行うための印刷装置（２）を有するロール紙輪転印刷機であって、
個々の印刷装置は版胴（３）を備え、該版胴に、周方向および長手方向において、それぞれ複数のブランケット判紙面（４）を縦長に設けることができるロール紙輪転印刷機において、
前記版胴（３）に、前記ブランケット判紙面（４）を設ける代わりに、周方向及び長手方向においてそれぞれ複数のタブロイド判紙面（１９）を縦長に設けることができることを特徴とする、ロール紙輪転印刷機。
【請求項２】
前記版胴（３）には、周方向に二つ、及び長手方向に三つの縦長に設けられたブランケット判紙面（４）を有する、少なくとも一つのセットを設けることができ、前記ブランケット判紙面（４）の高さ（ｈ）と幅（ｂ）との比はｈ／ｂ＝３／２であり、前記版胴（３）に、前記ブランケット判紙面（４）を設ける代わりに、一つのセットごとに、周方向において三つの縦長に設けられたタブロイド判紙面（１９）と、長手方向において四つの縦長に設けられたタブロイド判紙面（１９）とを設けることができることを特徴とする、請求項１に記載のロール紙輪転印刷機。
【請求項３】
前記版胴（３）には、周方向に二つ、及び長手方向に四つの縦長に設けられたブランケット判紙面（４）を有する、少なくとも一つのセットを設けることができ、前記版胴（３）に、前記ブランケット判紙面（４）を設ける代わりに、一つのセットごとに、周方向において三つの縦長に設けられたタブロイド判紙面（１９）と、長手方向において六つの縦長に設けられたタブロイド判紙面（１９）とを設けることができることを特徴とする、請求項１に記載のロール紙輪転印刷機。
【請求項４】
ブランケット判紙面（４）が印刷された前記ウェブ（１０）は、ブランケット判紙面（４）二つ分の幅を有する帯状ウェブ（１２，１３，１４）になるように、長手方向に断裁可能であり、前記帯状ウェブは、フォーマ（５）を介してガイドされ、長手方向に折ることができ、さらに、折り装置（６）において、ブランケット判印刷物（１８）になるように、断裁できるとともに折ることができることを特徴とする、請求項１〜３のいずれか１項に記載のロール紙輪転印刷機。
【請求項５】
縦長に設けられたタブロイド判紙面（１９）によって印刷が行われた前記ウェブ（１０）は、タブロイド判紙面（４）二つ分の幅を有する帯状ウェブ（２１〜２４）になるように長手方向に断裁可能であり、前記帯状ウェブは、フォーマ（２５〜２８）を介してガイドされ、長手方向に折ることができ、さらに、断裁装置（２９）においてタブロイド判印刷物（１９）になるように断裁できることを特徴とする、請求項１〜３のいずれか１項に記載のロール紙輪転印刷機。
【請求項６】
前記断裁装置（２９）は、タブロイド判の折り丁を重ねる重ね胴（３７）を有していることを特徴とする、請求項５に記載のロール紙輪転印刷機。
【発明の詳細な説明】
【技術分野】
【０００１】
本発明は、ウェブに印刷するための印刷装置を備えたロール紙輪転印刷機に関する。この印刷機においては、個々の印刷装置が版胴を有し、該版胴には、周方向及び長手方向において、それぞれ縦長に設けられたブランケット判紙面、または、横長に設けられたタブロイド判紙面を配置することができる。
【背景技術】
【０００２】
特許文献１は印刷装置を備えたロール紙輪転印刷機を開示しており、これら印刷装置の版胴には、複数のブランケット判紙面、または、一つのブランケット判紙面ごとに、二つのタブロイド判紙面を横長に設けることができる。これの印刷装置で印刷されたウェブは長手方向において帯状に裁断され、これら帯状ウェブはフォーマを用いて長手方向に折られる。これら帯状ウェブであってタブロイド判紙面が印刷されたものが、この後、互いに重ねられた状態で折り装置に供給される場合には、帯状ウェブはタブロイド判印刷物に裁断され、かつ、横断方向に折られるが、これによって、一つのタブロイド判印刷物が、個々に長手方向に折られた前記の帯状ウェブから作られるタブロイド判の（複数の）折り丁を、互いに差し込まれた状態で有することになる。このとき、横断方向の折りによって、製造すべきタブロイド判印刷物の背が形成される。その際に、個々のタブロイド判の折り丁をまとめたものが有している本としての構造が失われる。
【特許文献１】欧州特許第９３３２００号明細書
【発明の開示】
【発明が解決しようとする課題】
【０００３】
本発明の課題は、ロール紙輪転印刷機において、タブロイド判印刷物を製造する際に、当該タブロイド判印刷物の本としての構造を維持したままで製造する方法を実現することである。
【課題を解決するための手段】
【０００４】
前記の課題は独立請求項に記載の特徴によって解決される。版胴において、タブロイド判紙面を縦長に配置することにより、製造すべきタブロイド判の本の背が、フォーマを介して長手方向の折りを行う際に形成される。横断方向の折りは不要となるのである。タブロイド判の折り丁は横断方向の裁断によって得られる。帯状ウェブを互いに重ねることによって、また、場合によっては、互いに重ねたものを集めることによって印刷物全体が形成されるため、本の構造が保たれる。さらに、版胴の周方向においてより多くの裁断予定の複数のタブロイド判紙面を配置することができるので、それに伴い本の製造効率も増大する。
【０００５】
さらに別の特徴および有利な点は、明細書に関連して従属請求項に記載されている。
【発明を実施するための最良の形態】
【０００６】
以下に、本発明をいくつかの実施の形態に即してより詳細に説明する。本願に添付する図面に示すのは以下のとおりである。
【０００７】
図１は、八つの印刷装置２を備えた、いわゆるタワー型印刷装置１を有する、ロール紙輪転印刷機を示している。本図のロール紙輪転印刷機においては、各印刷装置２は版胴３を有している。本図においては当業者によく知られたオフセット印刷用の印刷装置が示されているが、他の印刷方法のための印刷装置を用いることも可能であろう。各版胴３には、周方向に二つ、長手方向に六つのブランケット判紙面（ブランケット判型の印刷紙面）が縦長に設けられている。ウェブ１０上の版胴３の展開が図に示されている。版胴３は、図４に示されている印刷紙面のセットを二つ担持している。図４については後で説明する。印刷紙面を本図のように配置する場合はいわゆる６／２型印刷機とよばれる。本図のロール紙輪転印刷機は、互いに隣接して設けられた三つのフォーマ５をさらに有し、これらに続いて折り装置６、デリバリ・ファン７、及びコンベヤ排紙部８が設けられている。
【０００８】
繰り出し部９から繰り出されたウェブ１０には、印刷装置２によって、版胴が一回転するごとに両面側において、図でウェブ１０上に示されているブランケット判紙面４に印刷が行われる。印刷画線部は版胴３から転写胴に転写され、転写胴からウェブに転写される。本実施の形態では、それぞれ二つの印刷装置２がゴム対ゴムの原理で協働し、このときウェブ１０は互いに当接された転写胴の間を通過する。このように印刷されたウェブ１０は、二つの長手方向断裁装置を用いて、それぞれがブランケット判紙面４二つ分の幅を有する三つの帯状ウェブ１２、１３、１４に裁たれ、これらの帯状ウェブはそれぞれフォーマ５を介してガイドされ、このとき長手方向に折られる。長手方向に折られた帯状ウェブ１２、１３、１４は、互いに重ねられた状態で折り装置６に供給される。本図の折り装置６は２：３：３型の折り装置であって、断裁胴１５と、ピン式折りブレード胴１６と、折り装置くわえ胴１７とを備え、これらの胴の直径の比が２：３：３である折り装置であるが、たとえば２：５：５型の折り装置とすることもできる。折り装置６において、帯状ウェブ１２、１３、１４は折り丁に断裁され、これらの折り丁は、横断方向の折りがされた後に、図２に示すブランケット判印刷物１８を形成する。このブランケット判印刷物はデリバリ・ファン７に排出され、コンベヤ排紙部８上にずれ重なるように排出される。ブランケット判印刷物１８は、重ねられていない状態では１２のブランケット判紙面を有し、重ねられた印刷物になると２４のブランケット判ページを有する。当然ながら、版胴３には、複数のブランケット判紙面４を設ける代わりに、一つのブランケット判紙面ごとに二つのタブロイド判紙面を横長に設けることもできる。このとき、ウェブ１０は、前記の方法で同様に、縦方向に三つの帯状ウェブに断裁され、縦方向に断裁された三つの帯状ウェブは三つのフォーマ５を介してガイドされ、縦方向に折られ、続いて、折り装置６においてタブロイド判印刷物に断裁され、横方向に折られる。こうして、版胴が一回転するごとに、重ねられていない状態では２４の紙面を有するタブロイド判印刷物が二つ製造され、重ねられると４８のページを有するタブロイド判印刷物が製造されることになる。
【０００９】
各版胴３には、ブランケット判紙面４を縦長に設ける代わりに、タブロイド判紙面（タブロイド判型の印刷紙面）１９を縦長に設けることも可能である。その場合、個々の版胴３は、周方向に三つの縦長に設けられたタブロイド判紙面１９を担持し、長手方向に八つの縦長に設けられたタブロイド判紙面１９を担持する。この場合、版胴３の長手方向において、図４に示すタブロイド判紙面１９のセットが二つ分配置されていることになる。このような配置に応じて、ウェブ１０には、版胴が一回転するごとに、両面側においてそれぞれ図１に示すタブロイド判紙面１９が２４個印刷される。このとき、図の輪転印刷機は８／３型のタブロイド判印刷機となる。ブランケット判紙面４の高さｈと幅ｂとの比はｈ／ｂ＝３／２である。本実施の形態では、高さｈ＝５２２ｍｍ、幅ｂ＝３４８ｍｍである。印刷版上では、六つのブランケット判紙面４、あるいは、１２個のタブロイド判紙面１９が複製される。タブロイド判紙面１９は、高さｈ＝３４８ｍｍ、幅ｂ＝２６１ｍｍである。印刷版の寸法は、高さH×幅Ｂ＝１０４４ｍｍ×１０４４ｍｍである。版胴３にはこのような印刷版の二つが隣接して設けられている。
【００１０】
縦長に設けられたタブロイド判紙面１９が印刷されたウェブ１０は、三つの長手方向断裁装置１１を用いて長手方向に断裁され、それぞれの幅が二つ分のタブロイド判紙面１９に相当する、四つの帯状ウェブ２１〜２４になる。これら帯状ウェブ２１〜２４は、それぞれフォーマ２５を介してガイドされ、このとき長手方向に折られる。その後、帯状ウェブ２１から２４は互いに重ねられた状態で断裁装置２９に供給される。これに先立って、にかわ付け機３０を用いて背部の接着を行うことも可能である。すなわち、折り丁の背が接着される。にかわ付け機３０は、図には詳細に示されていない装置を好適に備え、これら装置によって個々のウェブ２１〜２４ににかわが帯状に塗布される。断裁装置２９において、帯状ウェブ２１〜２４はタブロイド判の折り丁３１に裁断される。続いて、それぞれ四つのタブロイド判の折り丁３１が互いに重ねられ、場合によっては背部が接着されて、１６ページを有するタブロイド判印刷物３２（図３）としてデリバリ・ファン３３に排出され、続いて、コンベヤ排紙部３４上にずれ重なるように排出される。このとき本の構造は維持されている。
【００１１】
断裁装置２９は例えば、いわゆる２：２型ユニットとして実現されている。すなわち、本図の断裁装置は、周面に二つの断裁ブレードを備えた断裁胴３５と、周面に二つの断裁ニップ部を有してなるニッピングローラ３６とを有している。断裁胴３５、またはニッピングローラ３６は、重ね胴３７（図１において、括弧書きされている）として実現された重ね装置を有して形成することもできる。重ね胴によって、帯状ウェブ２１〜２４ごとに、三つの連続するタブロイド判の折り丁３１が重ねられ、その後デリバリ・ファン３３に排出される。このように二重に重ねると、４８ページを有するタブロイド判印刷物が出来上がる。版胴３の周方向に三つの裁断予定の紙面（印刷紙面）を配置することにより、本の製造効率を増大させることができる。例えば、版胴３を一時間に７００００回転させる場合、図３に示すタブロイド判印刷物３２を一時間に２１００００部製造することができる。ブランケット判印刷物１８、またはタブロイド判印刷物３２の紙面の数は、加工すべきウェブ１０及び分割ウェブを重ねること、及び／又は、加工すべきウェブ１０及び分割ウェブの数を増大させることによって増やすことができる。そのためにはさらなる印刷装置２を用いる必要がある。折り装置６または断裁装置２９によって加工されるウェブ１０は、すべての応用例において、同一の印刷装置２もしくはタワー型印刷装置１によって製造可能である。
【００１２】
ブランケット判紙面４が印刷されたウェブ１０を加工する際に、フォーマ５の代わりに、フォーマ２５のうちの三つを用いることもできる。その場合、これら三つのフォーマ２５は側方向にスライド可能であり、三つのフォーマ２５は帯状ウェブ１２から１４の中心部に移動される。
【００１３】
タブロイド判印刷物３２の紙面の数は、重ねられていない印刷物においては二つの印刷紙面を一つの段階として、すなわち、いわゆる２面ステップで変更可能であり、重ねられた印刷物においてはいわゆる６面ステップで変更可能である。
【００１４】
図４は、３／２型のロール紙輪転印刷機の版胴３における印刷紙面の配置を示し、版胴３をウェブ１０上に展開した形で表したものである。版胴３には、周方向に二つ、長手方向に三つのブランケット判紙面４が縦長に設けられている。ブランケット判紙面４は、高さｈ＝５２２ｍｍ、幅ｂ＝３４８ｍｍであり、高さｈと幅ｂとの比は、ｈ／ｂ＝３／２である。したがって、図１に示す実施の形態の場合とは異なり、版胴にはブランケット判紙面４が１セットのみ設けられている。その他の点では、ウェブ１０の後続の加工は図１に示す場合と同様に行われるが、長手方向断裁装置１１を用いて長手方向に断裁されるときに、二つの帯状ウェブ１２、１３．１しか作られず、ブランケット判紙面４一つ分の幅を有する帯状ウェブ１３．１は帯状ウェブ１２上に（矢印で示されるように）折り返すことができ、帯状ウェブ１２とともにフォーマ５を介して搬送される。
【００１５】
版胴３には、ブランケット判紙面４の代わりに、タブロイド判紙面１９を縦長に設けることもできる。その場合、図４において同様に展開図として示されるように、周方向に三つの縦長に設けられたタブロイド判紙面１９を担持し、長手方向に四つの縦長に設けられたタブロイド判紙面１９を担持する。さらに加工するために、タブロイド判紙面１９が印刷されたウェブ１０は、長手方向断裁装置１１を用いて、それぞれがタブロイド判紙面１９二つ分の幅を有する二つの帯状ウェブ２１および２２に断裁され、図１に示す実施の形態について説明したように、それぞれフォーマ２５を介して長手方向に折られ、さらに加工される。タブロイド判紙面１９は、高さｈ＝３４８ｍｍ、幅ｂ＝２６１ｍｍである。ブランケット判紙面４もしくはタブロイド判紙面１９を担持する印刷版は、高さH＝１０４４ｍｍ、幅Ｂ＝１０４４ｍｍである。したがって、タブロイド判紙面１９が設けられた本図の印刷機は、４／３型のタブロイド判印刷機を表している。
【００１６】
図５は、４／２型の輪転印刷機のための印刷紙面の配置を示し、版胴３をウェブ１０上に展開した形で表している。版胴３には、周方向に二つ、長手方向に四つのブランケット判紙面４が縦長に設けられている。ブランケット判紙面４は、高さｈ＝６００ｍｍ、幅ｂ＝４００ｍｍである。長手方向断裁装置１１を用いてウェブ１０を長手方向に断裁するときに作られる、それぞれがブランケット判紙面４二つ分の幅を有する帯状ウェブ１２，１３は、フォーマ５を介してガイドされ、長手方向に折られ、図１に示す実施の形態と同様にさらに加工される。
【００１７】
版胴３には、ブランケット判紙面４を設ける代わりに、周方向に三つのタブロイド判紙面１９を縦長に設けるとともに長手方向に八つのタブロイド判紙面１９を縦長に設けることも可能である。これもまた展開図として図５に示されている。タブロイド判紙面１９は、それぞれ、幅ｂ＝２６６ｍｍ、高さｈ＝４００ｍｍである。したがって、本図は６／３型のタブロイド判配置を示すものである。タブロイド判紙面１９が印刷されたウェブ１０は、長手方向断裁装置１１を用いて長手方向に断裁され、それぞれが縦長に設けられたタブロイド判紙面１９二つ分の幅を有する三つの帯状ウェブ２１、２２、２３となり、それぞれがフォーマ２５を介して長手方向に折られ、図１に示す実施の形態において説明したようにさらに加工される。本図に示す印刷機において、印刷版は高さH＝１２００ｍｍ、幅Ｂ＝１６００ｍｍである。版胴３に、前記の寸法を有するタブロイド判紙面１９を横長に設ける場合には白い縁が残るが、この縁は切り落とされるか、または、前折り部として用いられる。
【図面の簡単な説明】
【００１８】
【図１】６／２型のロール紙輪転印刷機である。
【図２】ブランケット判紙面が縦長に設けられている、図１に示す印刷機が製造する印刷物である。
【図３】タブロイド判紙面が縦長に設けられている、図１に示す印刷機が製造する印刷物である。
【図４】３／２型のロール紙輪転印刷機のための、版胴における印刷紙面の配置図である。
【図５】４／２型のロール紙輪転印刷機のための、版胴における印刷紙面の配置図である。
【符号の説明】
【００１９】
１・・・タワー型印刷装置
２・・・印刷装置
３・・・版胴
４・・・ブランケット判紙面
５、２５・・・フォーマ
６・・・折り装置
７、３３・・・デリバリ・ファン
８、３４・・・コンベヤ排紙部
９・・・繰り出し部
１０・・・ウェブ
１１・・・長手方向断裁装置
１２、１３、１４、２１、２２、２３、２４・・・帯状ウェブ
１３．１  帯状ウェブ
１５、３５・・・断裁胴
１６・・・ピン式折りブレード胴
１７・・・折り装置くわえ胴
１８・・・ブランケット判印刷物
１９・・・タブロイド判紙面
２９  断裁装置
３０  にかわ付け機
３１  タブロイド判折り丁
３２  タブロイド判印刷物
３６  ニッピングローラ
３７  重ね胴
B、ｂ・・・印刷紙面の幅
H、ｈ・・・印刷紙面の高さ
【図２】
2007296850.tif 000003
【図３】
2007296850.tif 000004
【図４】
2007296850.tif 000005
【図５】
2007296850.tif 000006
【図１】
2007296850.tif 000007